(57)【要約】      （修正有）【課題】柔軟性を有した関節曲げのできるネイル練習ハンドモデルを提供する。【解決手段】掌と、それに接続された５つの指の指骨格部１２からなり、指骨格部は、骨軸１３と指の付け根の関節１６、第２関節１５、第１関節１４からなる関節と、爪からなり指の関節曲げを可能にした掌には鉄製の半球体の窪み１７を設けて、それを支える練習台の半球体に被せて、上下左右の回動可能とし、掌部と、それに接続された５つの指の指骨格部は、柔らかい樹脂１８で覆ってネイル練習ハンドモデルを形成する。【選択図】図１
0003168569.tif 000002
【実用新案登録請求の範囲】
【請求項１】
掌ブロック部１１と、それに接続された５つの指の指骨格部１２からなり、指骨格部は、骨軸１３と指の付け根の関節１６、第２関節１５、第１関節１４からなる関節と、爪４からなり、指の関節にジョイントをもうけて曲げを可能にし、掌ブロック部１１の下部に鉄製の半球体の窪み１７を設け、掌ブロック部１１と、それに接続された５つの指の指骨格部は、柔らかい樹脂で覆ったネイル練習ハンドモデルであって、ネイル練習ハンドモデルの半球体の窪み１７を、マグネットをはった上部半球体２２を有する練習台に被せたときに、上下左右に回動を可能とすることにより、ネイルの施術練習を容易に出来るようにしたことを特徴とするネイル練習ハンドモデル。
【請求項２】
台２１とその上の上部半球体２２からなり練習台で、練習台の上部半球体は樹脂や金属で構成され、上部半球体の形状内面にマグネット２４を貼りつけることにより、前記ネイル練習ハンドモデルハンドの半球体の窪み１７を被せたとき、マグネットで吸着し、上下左右自由自在に回動可能にすることにより、ネイルの施術練習を容易に出来るようにしたことを特徴とする請求項１記載のネイル練習ハンドモデル用の練習台。
【考案の詳細な説明】
【技術分野】
【０００１】
本考案はネイルの施術を練習するためのハンドモデルとその練習台に関する。
【背景技術】
【０００２】
従来から女性を主流に自爪に所望の装飾を施しネイルのおしゃれを楽しむことが行われている。
【０００３】
上記の装飾にはアクリルスカルプやジェルスカルプ、3Ｄデコ、ペイント、エアーブラシ、マニュキュア等で施されている。
【０００４】
これらの装飾を施すには豊富な関連素材の知識の習得、またそれらを使った複雑な加工方法と高い技術を修得する事が望まれる。
プロネイリストを目指す人たちはネイルスクールで専門知識と高い技術を修得しなければならない。
【０００５】
上記のネイル技術に使われているアクリルスカルプやジェルスカルプ等の素材も様々に開発されている。これらの扱い方も複雑で徹底した高度な技術を修得し、皮膚や爪が安全で衛生的に施術される事がユーザーへの安心に繋がり、知識や技術を修得する必要がある。そのため資格、検定試験も技術の向上を計って開設されている。
【０００６】
検定試験で資格を得るためネイルスクールでは実践と同じ施術を長時間かけて練習する必要がある。しかしながら、ネイルスクールでの実技練習は相身モデルでお互いの指を施術する事が主流である。この方法は施術される側はその間 何もできないロスタイムが生じることや、続けて繰り返しの練習は皮膚や爪へのダメージをおこす問題がある。
【０００７】
相身の練習はお互いのスケジュールを調整しながらの練習になるので、時間や費用のロスが起こる。
【０００８】
そのため自分だけで練習できる軟質ビニールハンドモデルもあるが、指は曲がるが芯に針金を入れた固いもので、自由に折れ曲がらない上、指を曲げるたびに両手を使うので満足のいく施術練習が得られない。
又、別に指の関節ごとに曲がる木製品またはプラスチック製の指を関節ごとにネジで留めて１本の指にしたものを手のひら部分に連結したハンドモデルもあるが、指の動きや感触が実際とは異なるため施術の練習に適していない問題がある。
【０００９】
上述のハンドモデルは一単位の課題しか、修得出来ない問題があり、実践の施術や規定のカリキュラムを同一のハンドモデルで徹底して学ぶことは出来ない。
【００１０】
昨今は紫外線硬化型の樹脂を使ったジェルネイルが主流になり、ジェル検定試験も新たに設定され、資格を得るため充分な施術練習が要求されている。
ジェルを硬化させるためにはＵＶランプに照射する必要があり、ＵＶランプを相身練習の為に頻繁に照射することは皮膚にダメージを与える問題がある。
【００１１】
又、より実践に近い施術練習をするため、自分の爪に施す方法がとられるが利き手に施術する事は困難で、両手で施術する事ができないため実践的でなく適さない。
【先行技術文献】
【特許文献】
【００１２】
【特許文献１】登録実用新案第３０３１５９４号公報
【考案の概要】
【考案が解決しようとする課題】
【００１３】
上述のとおり従来のネイル技術の習得には次の課題がある。
１）ネイルの施術練習はネイリスト同士が相身のモデルになり行うため、受け身側はロスタイムが生じる。
２）相身のためお互いのスケジュールを調整するため頻繁に練習できない。
３）相身のモデル練習は繰り返しの練習が必要であっても、皮膚や爪へのダメージがあるため数多くの練習ができない。
４）従来からのビニールハンドモデルでは硬くて繰り返しの練習は不向きである。
５）従来のビニールハンドモデルでは規定の修得課題の練習は出来ない。
６）従来のビニールハンドモデルはスタンド式で机に固定されているため、ジェルネイルに必要なＵＶランプに照射しがたい。
【課題を解決するための手段】
【００１４】
掌ブロック部１１と、それに接続された５つの指の指骨格部１２からなり、指骨格部は、骨軸１３と指の付け根の関節１６、第２関節１５、第１関節１４からなる関節と、爪４からなり、指の関節にジョイントをもうけて曲げを可能にし、掌ブロック部１１の下部に鉄製の半球体の窪み１７を設け、掌ブロック部１１と、それに接続された５つの指の指骨格部は、柔らかい樹脂で覆ったネイル練習ハンドモデルであって、ネイル練習ハンドモデルの半球体の窪み１７を、マグネットをはった上部半球体２２を有する練習台に被せたときに、上下左右に回動を可能とすることにより、ネイルの施術練習を容易に出来るようにしたことを特徴とするネイル練習ハンドモデル。
【００１５】
台２１とその上の上部半球体２２からなり練習台で、練習台の上部半球体は樹脂や金属で構成され、上部半球体の形状内面にマグネット２４を貼りつけることにより、前記ネイル練習ハンドモデルハンドの半球体の窪み１７を被せたとき、マグネットで吸着し、上下左右自由自在に回動可能にすることにより、ネイルの施術練習を容易に出来るようにしたことを特徴とするネイル練習ハンドモデル用の練習台。
【考案の効果】
【００１６】
本考案のネイル練習ハンドモデルは、指の関節が折れ曲がる骨格を柔らかい素材でそれを覆い成形する。これを練習台に設置すると実践のネイル施術と同じ手の動作が再現できるため、より繊細に徹底した施術練習がくりかえし自分だけで施せる
【００１７】
又、本考案のネイル練習ハンドモデルとその練習台はマグネットで吸着し上下左右に自由自在に動かすことができ、練習台との着脱も簡単であるので、ネイル練習ハンドモデルは練習台から取り外して紫外線ランプに照射することができる。
【図面の簡単な説明】
【００１８】
【図１】本考案の柔軟性を有した関節曲げのできるネイル練習ハンドモデルと、その練習台の構成。  （ａ）ネイル練習ハンドモデルの外観構成  （ｂ）ネイル練習ハンドモデルの内部構成
【図２】練習台の構成
【図３】本考案の柔軟性を有した関節曲げのできるネイル練習ハンドモデルと、その練習台の使用方法  （ａ）施術練習の使用例  （ｂ）自由自在に回動する練習台の動き  （ｃ）ネイル練習ハンドモデルと練習台の分離
【考案を実施するための形態】
【００１９】
本考案の実施形態を図１〜図３を用いて説明する。
図１は本考案の柔軟性を有した関節曲げのできるネイル練習ハンドモデルと、その練習台の構成を示す。（ａ）はネイル練習ハンドモデルの外観構成、（ｂ）はネイル練習ハンドモデルの内部構成を示す。
本考案のネイル練習ツールは、図１（ａ）に示すように、ネイル練習ハンドモデルとその練習台からなり、ネイル練習ハンドモデルを、練習台の上において、自由自在に上下左右の回動できるようにしたものである。
ネイル練習ハンドモデルは、（ｂ）に示すように掌ブロック部１１とそれに接続された５つの指の指骨格部12からなる。指骨格部は、骨軸13と指の付け根の関節16、第２関節１５、第１関節１４からなる関節と、爪4からなり、指の関節にジョイントを設けて曲げを可能にしている。掌ブロック部１１の下部に鉄製の半球体の窪み１７を設けて、後述する練習台の、上部半球体２２に被せて、上下左右に回動可能としている。
掌ブロック部11と、それに接続された５つの指の指骨格部12は、柔らかい樹脂18で覆っている。
例えば、柔らかい樹脂は、軟質ウレタンや軟質シリコン又はエラストマー光硬化型樹脂等の素材であってもよい。
【００２０】
関節部分を回転軸の中心で折れ曲がる関節のジョイントからなり、指の長さを調整し、一本の指を構成する。各指も同じである。
【００２１】
ネイル練習ハンドモデルの指に内蔵される折れ曲がる関節のジョイントは、例えばボールジョイントやラチェット形のジョイント、又はロールスジョイント、ユニバーサルジョイント、フレックスボールジョイント等である。
【００２２】
前記の骨格は掌ブロック部１１と各指5本の骨格から構成され、それを柔らかな素材で覆う形で手を形成する。それは右手、左手も同様である。
【００２３】
手の形を覆う手の形状をなしえる成形の柔らかい素材は軟質ウレタン、軟質シリコン、エラストマー、ビニール等であってもよい。
【００２４】
又それらを成形する方法は  真空成形、ダイキャスト注型成形で、スラッシュ成形、インジェクション成形で、シリコン型、ＦＲＰ型、プラ型、鋳造型、ゴム型であってもよい。
【００２５】
上記ネイル練習ハンドモデルでは、紫外線硬化樹脂や可視光硬化型樹脂を用いてネイルの施術練習を施す場合は、ネイル練習ハンドモデルを練習台から分離し外して、ＵＶランプ又はＬＥＤ可視光ランプを照射することができる。
【００２６】
図２は、練習台の構成を示す。図１（ａ）の矢視図Ａ−Ａである。
練習台は、台21と、その上の上部半球体22からできている。上部半球体22の内部は空洞になっている。練習台の上部半球体はプラスチック樹脂や金属でできており、上部半球体22の形状内面に吸着力が適合したマグネット24を一つ又は複数個貼りつけている。
練習台の半球体22に、ネイル練習ハンドモデルの掌の半球体の窪み１７と、すり合う形状で被せられる。
【００２７】
又、練習台の高さは実践の施術と同等の寸法を割り出しており、５ｃｍ〜１０ｃｍが好ましい。図１，２に示す練習台の底面にどの場所でも簡単に着脱でき繰り返し固定できる粘着シート23又は粘着ウレタン剤を貼りつけてもよい。又、練習台の底面にマグネットを貼り、鉄製の机等に固定してもよい。
【００２８】
図３は、本考案の柔軟性を有した関節曲げのできるネイル練習ハンドモデルとその練習台の使用方法を示す。（ａ）は施術練習の使用例、（ｂ）は練習台の動き（回転と上下でき）、（ｃ）はネイル練習ハンドモデル1と練習台2の分離を示す。
（ａ）は、ハンドモデルを使いスカルプやジェルの施術を練習する作業、（ｂ）は、実践と同じ動きで上下自由自在に回動する様子、（ｃ）は、ＵＶ照射のために練習台とネイル練習ハンドハンドモデルを分離する図である。
【符号の説明】
【００２９】
１  ネイル練習ハンドモデル
１１    掌ブロック部
１２    指骨格部
１３    骨軸
１４    第１関節
１５    第２関節
１６    指の付け根の関節
１７    半球体の窪み
１８    柔らかい樹脂
２  練習台
２１    台
２２    上部半球体
２３    粘着シート
２４    マグネット
３    筆
４    爪
【産業上の利用可能性】
【００３０】
実践の施術と同じ動きを再現できるネイル練習ハンドモデルで何時でも何処でも置くだけで固定し繰り返し施術の練習ができる。
ネイル実技の数多い履修単位や高度の技術も短時間で取得できる。
【図１】
0003168569.tif 000003
【図２】
0003168569.tif 000004
【図３】
0003168569.tif 000005